(57)【要約】【課題】電力の使用状態を直ちに把握することができる配電システムを提供することにある。【解決手段】配電システムは、複数の直流系機器ユニット２Ａ〜２Ｈと、直流系機器ユニット２Ａ〜２Ｈに電力を供給する直流給電路３と、商用交流電源を元に直流電源を生成して直流給電路３に供給する電力変換ユニット４とを盤体内に収納してなる電源盤１と、１乃至複数の二次電池からなる二次電池モジュール５０を有し直流系機器ユニット２Ａ〜２Ｈに電力供給を行うバッテリユニット５と、バッテリユニット５の二次電池モジュール５０の電池状態情報及び各直流系機器ユニット２Ａ〜２Ｈの動作状態情報を収集する情報収集手段を有する電源マネージメントユニット６と、電源マネージメントユニット６の情報収集手段で収集した前記電池状態情報及び前記動作状態情報を表示する表示ユニット７Ａ，７Ｂとを備えている。【選択図】図１
2008048471.tif 000002
【特許請求の範囲】
【請求項１】
複数の直流系機器ユニットと、直流系機器ユニットに電力を供給する直流給電路と、商用交流電源を元に直流電源を生成して直流給電路に供給する電力変換ユニットとを盤体内に収納してなる電源盤と、蓄電池を有し直流系機器ユニットに電力供給を行うバッテリユニットと、バッテリユニットの蓄電池の電池状態情報及び各直流系機器ユニットの動作状態情報を収集する情報収集手段と、情報収集手段で収集した前記電池状態情報及び動作状態情報を表示する表示手段とを備えていることを特徴とする配電システム。
【請求項２】
予め設定された制御内容に基づいて各直流系機器ユニットの動作を制御する自動制御手段と、ユーザの操作入力用の入力手段と、該入力手段の入力内容に応じて自動制御手段における前記制御内容を変更する変更手段とを備えていることを特徴とする請求項１に記載の配電システム。
【請求項３】
ユーザの操作入力用の入力手段と、該入力手段の入力内容に応じて各直流系機器ユニットの動作を制御する手動制御手段とを備えていることを特徴とする請求項１又は２の記載の配電システム。
【請求項４】
表示手段は、外部機器との通信手段及びバッテリを備える情報処理用の端末器の画像表示装置であることを特徴とする請求項１〜３のいずれか１項に記載の配電システム。
【請求項５】
電池状態情報は、蓄電池の残量を有するとともに、該蓄電池の残量を元に算出される蓄電池の残り使用可能時間を有し、表示手段は、少なくとも前記残り使用可能時間を表示するように構成されていることを特徴とする請求項１〜４のいずれか１項に記載の配電システム。
【発明の詳細な説明】
【技術分野】
【０００１】
本発明は、配電システムに関するものである。
【背景技術】
【０００２】
従来から、住宅の壁面等の造営面に設置される住宅用分電盤や、電源盤等の配電システムが提供されている。
【０００３】
このような配電システムとしては、例えば、特許文献１に示すようなものがあり、特許文献１のものは、住宅の壁面等に取り付けられる盤体を備え、盤体内には、単相三線用の主開閉器（主幹ブレーカ）と、複数の分岐開閉器（分岐ブレーカ）と、電源手段とを備えている。
【０００４】
上記電源手段は、交流−直流変換処理を行うＡＣ／ＤＣコンバータや、電圧を昇圧処理する昇圧コンバータ、電路の停電を検出する停電検出手段、ライトを点灯消灯させるスイッチ等を備える制御回路と、蓄電池とを、合成樹脂製のハウジングに収納することで構成されており、商用交流電源を直流電源に変換して供給できるようになっている。
【特許文献１】特開２００５−２２４０６６号公報（図４及び図６）
【発明の開示】
【発明が解決しようとする課題】
【０００５】
ところで、上記特許文献１の電源手段は、商用交流電源により充電される蓄電池を備え、これにより商用交流電源の供給が停止された場合でも、蓄電池から電力供給を行うことができるようになっている。
【０００６】
しかしながら、特許文献１のように、単に商用交流電源の供給が停止された際に蓄電池から電力供給を行うだけでは、実際に蓄電池の電力がどの程度使用されているのかを把握することができないという問題があった。
【０００７】
本発明は上述の点に鑑みて為されたもので、その目的は、電力の使用状態を直ちに把握することができる配電システムを提供することにある。
【課題を解決するための手段】
【０００８】
上述の課題を解決するために、請求項１の配電システムの発明では、複数の直流系機器ユニットと、直流系機器ユニットに電力を供給する直流給電路と、商用交流電源を元に直流電源を生成して直流給電路に供給する電力変換ユニットとを盤体内に収納してなる電源盤と、蓄電池を有し直流系機器ユニットに電力供給を行うバッテリユニットと、バッテリユニットの蓄電池の電池状態情報及び各直流系機器ユニットの動作状態情報を収集する情報収集手段と、情報収集手段で収集した前記電池状態情報及び動作状態情報を表示する表示手段とを備えていることを特徴とする。
【０００９】
請求項２の配電システムの発明では、請求項１の構成に加えて、予め設定された制御内容に基づいて各直流系機器ユニットの動作を制御する自動制御手段と、ユーザの操作入力用の入力手段と、該入力手段の入力内容に応じて自動制御手段における前記制御内容を変更する変更手段とを備えていることを特徴とする。
【００１０】
請求項３の配電システムの発明では、請求項１又は２の構成に加えて、ユーザの操作入力用の入力手段と、該入力手段の入力内容に応じて各直流系機器ユニットの動作を制御する手動制御手段とを備えていることを特徴とする。
【００１１】
請求項４の配電システムの発明では、請求項１〜３のいずれか１項の構成に加えて、表示手段は、外部機器との通信手段及びバッテリを備える情報処理用の端末器の画像表示装置であることを特徴とする。
【００１２】
請求項５の配電システムの発明では、請求項１〜４のいずれか１項の構成に加えて、電池状態情報は、蓄電池の残量を有するとともに、該蓄電池の残量を元に算出される蓄電池の残り使用可能時間を有し、表示手段は、少なくとも前記残り使用可能時間を表示するように構成されていることを特徴とする。
【発明の効果】
【００１３】
請求項１の配電システムの発明は、バッテリユニットの蓄電池の電池状態情報と、各直流系機器ユニットの動作状態情報とを情報収集手段により収集して、表示手段に表示するから、表示手段を見るだけで蓄電池の電池状態及び直流系機器ユニットの動作状態を確認でき、これにより電力の使用状態を直ちに把握することができるという効果を奏する。
【００１４】
請求項２の配電システムの発明は、自動制御手段による直流系機器ユニットの制御内容をユーザの操作入力によって変更することができ、これによりユーザの嗜好性を自動制御手段の制御内容に反映することができて、ユーザの好みに合致した直流系機器ユニットの動作制御を行えるようになるという効果を奏する。
【００１５】
請求項３の配電システムの発明は、ユーザにより直流系機器ユニットの動作制御を行うことができるから、表示手段に表示される蓄電池の電池状態情報や、各直流系機器ユニットの動作状態情報を参照して、必要のない直流系機器ユニットの動作を停止したり、必要な直流系機器ユニットの動作を開始したりすることで、蓄電池の電力を効率的に使用することが可能となるという効果を奏する。
【００１６】
請求項４の配電システムの発明は、情報処理用の端末器の画像表示装置を表示手段として利用しているので、専用のビュア等を用いる場合に比べて、バッテリユニットの電池状態情報と、各直流系機器ユニットの動作状態情報との表示を容易に行えるという効果を奏する。
【００１７】
請求項５の配電システムの発明は、表示手段を見るだけで蓄電池の残り使用可能時間を確認でき、これによりユーザに蓄電池の電池状態を分かりやすく報知することができるという効果を奏する。
【発明を実施するための最良の形態】
【００１８】
以下、本発明の配電システムの一実施形態について図１〜図７を参照して説明する。
【００１９】
本実施形態の配電システムは、図１に示すように、複数（本実施形態では８つ）の直流系機器ユニット２Ａ〜２Ｈと、電圧側導電バー３０及び接地側導電バー３１からなり直流系機器ユニット２Ａ〜２Ｈに電力を供給する直流給電路３と、商用交流電源を元に直流電源を生成して直流給電路３に供給する電力変換ユニット４とを盤体（図示せず）内に収納してなる電源盤１と、１乃至複数の蓄電池（二次電池）からなる二次電池モジュール５０を有し直流系機器ユニット２Ａ〜２Ｈに電力供給を行うバッテリユニット５と、バッテリユニット５の二次電池モジュール５０の電池状態情報及び各直流系機器ユニット２Ａ〜２Ｈの動作状態情報を収集する情報収集部６１を有する電源マネージメントユニット６と、情報収集部６１で収集した前記電池状態情報及び前記動作状態情報を表示する表示ユニット７Ａ，７Ｂとを備えている。
【００２０】
電源盤１について図１〜図３を参照して説明する。電源盤１は、図２に示すように、例えば屋内配線の分岐に用いられる住宅用分電盤を利用して構成されているものであり、住宅の壁面等の造営面に取り付けられる盤体（図示せず）と、交流供給ブロック１０と、直流供給ブロック１１とを備えている。この盤体は、壁面等の造営面に取り付けられる前面が開口した箱状のボックス（図示せず）、及びボックス（図示せず）の前面に開閉自在に取り付けられるカバー（図示せず）等を備えているものであって、盤体内には、系統側となる交流供給ブロック１０、及び直流供給ブロック１１を収納するためのスペースが設けられている。
【００２１】
交流供給ブロック１０は、盤体内に引き込まれた低圧側配電線（例えば、単相三線の低圧配電線）が接続されるリミッタ１０ａと、リミッタ１０ａが入力側（電源側端子）に接続される主幹ブレーカ１０ｂと、主幹ブレーカ１０ｂの出力側（負荷側端子）に接続される主幹路１０ｃと、主幹路１０ｃから分岐する分岐路１０ｄと、分岐路１０ｄに接続される分岐ブレーカ１０ｅとで構成されている。
【００２２】
リミッタ１０ａは、低圧側配電線から主幹ブレーカ１０ｂに、各家庭における電力会社との契約内容に応じた電流を供給するとともに、契約時の電流値以上の電流が流れると主幹ブレーカ１０ｂへの給電路を遮断するように構成されている。
【００２３】
主幹ブレーカ１０ｂは、リミッタ１０ａに接続される電源側端子（図示せず）と、電源側端子に接続される負荷側端子（図示せず）と、電源側端子と負荷側端子とが通電している際にはオン側に位置する操作ハンドル（図示せず）と、電源側端子と負荷側端子との間に過電流が生じた際にはこれら端子間を遮断するとともに、操作ハンドルをオフ側に位置させる回路遮断機構（図示せず）とを備えている。
【００２４】
分岐ブレーカ１０ｅは、分岐路１０ｄをそれぞれ接続可能な分岐路用端子部（図示せず）と、負荷側の電源線（図示せず）を電気的に接続するための電源線用端子部（図示せず）と、通常時はオン側に位置する操作ハンドル（図示せず）と、分岐路用端子部と電源線用端子部との間に過電流が生じた際にこれら端子部間を遮断するとともに、操作ハンドルをオフ側に位置させる回路遮断機構（図示せず）とを備えている。
【００２５】
尚、リミッタ１０ａと、主幹ブレーカ１０ｂと、分岐ブレーカ１０ｅとは、従来周知のものを採用することができるから、詳細な説明は省略する。また尚、主幹ブレーカ１０ａ及び分岐ブレーカ１０ｅの各回路遮断機構は、過電流だけではなく、短絡電流の発生に対しても回路を遮断するように構成してもよい。
【００２６】
主幹路１０ｃは、電圧極用の導電バーＬ１，Ｌ２及び中性極用の導電バーＮを有しており、これら導電バーＬ１，Ｌ２，Ｎは、いずれも導電性を有する金属板を用いて長尺の矩形板状に形成されており、その幅、厚み等は、主幹ブレーカ１０ｂの最大定格電流に合わせた最大電流容量を有するように設定されている。また、分岐路１０ｄは、主幹路１０ｃの各導電バーＬ１，Ｌ２，Ｎに一体に設けられており、その幅、厚み等は、主幹ブレーカ１０ｂの最大定格電流に合わせた最大電流容量を有するように設定されている。
【００２７】
一方、直流供給ブロック１１は、上述した直流系機器ユニット２Ａ〜２Ｈと、直流給電路３と、電力変換ユニット４とを備えている。
【００２８】
まず、直流給電路３について説明する。直流給電路３は、図３に示すように、導電性を有する金属板を用いて長尺の矩形板状に形成された電圧側導電バー３０及び接地側導電バー３１からなり、各導電バー３０，３１には、直流系機器ユニット２Ａ〜２Ｈを接続するための接続バー３０ａ，３１ａが複数設けられている。尚、各導電バー３０，３１及び接続バー３０ａ，３１ａの幅や、厚み等は、主幹ブレーカ１０ｂの最大定格電流に合わせた最大電流容量を有するように設定されている。
【００２９】
直流系機器ユニット２Ａ〜２Ｈは、図３に示すように、直流給電路３に接続されて直流給電路３から直流電源を供給されるものであって、これら直流系機器ユニット２Ａ〜２Ｈの本体部２３には、直流給電路３に接続するための電源端子部２０，２１が設けられている。ここで、電源端子部２０，２１について図３を参照して説明する。尚、電源端子部２０，２１は、上述したように各直流系機器ユニット２Ａ〜２Ｈに共通するものであるから、以下の説明では、直流系機器ユニット２Ａを例に挙げて説明し、他の直流系機器ユニット２Ｂ〜２Ｈの電源端子部の説明は省略する。
【００３０】
電源端子部２０，２１は、図３に示すように、直流系機器ユニット２Ａの合成樹脂製の本体部２３の一側面に設けられ、直流給電路３の電圧側導電バー３０の接続バー３０ａ及び接地側導電バー３１の接続バー３１ａをそれぞれ差し込み可能な開口２１ａ，２２ａと、開口２１ａ，２２ａ内に差し込まれた接続バー３０ａ，３１ａをその差込方向と直交する方向（図３に示す例では接続バー３０ａ，３１ａの厚み方向）で狭持する接続端子２１ｂ，２２ｂとで構成された、所謂プラグイン方式のものである。
【００３１】
したがって、電源端子部２０，２１に、直流給電路３の各導電バー３０，３１の接続バー３０ａ，３１ａを差し込むだけで直流系機器ユニット２Ａを直流給電路３に電気的且つ機械的に接続することができるようになっている。
【００３２】
以下に、直流系機器ユニット２Ａ〜２Ｈについてさらに詳細に説明する。
【００３３】
直流系機器ユニット２Ａ〜２Ｃ，２Ｇは、通信ユニットであって、例えば、ＬＡＮケーブル接続用モジュラジャック（図示せず）や、同軸ケーブル接続用コネクタ（図示せず）、光ファイバケーブル接続用コネクタ（図示せず）等の各種通信ケーブルを接続するケーブル接続部（図示せず）と、直流給電路３を伝送路として電力変換ユニット４及び他の直流系機器ユニット並びに電源マネージメントユニット６と通信を行う通信部２４Ａ〜２４Ｃ，２４Ｇと、ケーブル接続部に接続されているＬＡＮケーブル等の通信ケーブル用の信号を直流給電路３用の信号に変換する、或いは直流給電路３用の信号を通信ケーブル用の信号に変換するメディアコンバータからなる信号変換手段（図示せず）とをそれぞれ備えている。
【００３４】
このような直流系機器ユニット２Ａ〜２Ｃ，２Ｇには、インターネット接続用のＬＡＮケーブルや、情報コンセント、ドアホン親機、ドアホン子機、情報処理用の端末器Ｔ１〜Ｔ３等が接続される。これら直流系機器ユニット２Ａ〜２Ｃ，２Ｇは、直流給電路３を介して相互に通信可能であるから、例えば、直流系機器ユニット２Ｇに接続されている端末器Ｔ１〜Ｔ３は、直流系機器ユニット２Ｇ、直流給電路３、及び直流系機器ユニット２Ａを介してインターネットに接続することが可能になる。
【００３５】
これら直流系機器ユニット２Ａ〜２Ｃ，２Ｇの信号変換手段には、自身の動作モードを切り換えるモード切換手段（図示せず）が設けられており、このモード切換手段は、機能制限を行うことで（例えば信号変換手段の動作を停止して）、消費電力を小さくする低消費モードと、機能制限等を行わない通常モードとを切り換えるように構成されている。
【００３６】
このような直流系機器ユニット２Ａ〜２Ｃ，２Ｇの各モード切換手段は、電源マネージメントユニット６によってそれぞれ切換動作が制御されるように構成されている。
【００３７】
また、通信部２４Ａ〜２４Ｃ，２４Ｇは、それぞれ対応する直流系機器ユニット２Ａ〜２Ｃ，２Ｇにおける消費電力量や、消費電流、動作モードの状態等の動作状態情報を検出し、検出した動作状態情報として電源マネージメントユニット６に出力可能に構成されている。尚、消費電力量を検出する方法としては、従来周知のものを採用することができるから、説明を省略する。
【００３８】
直流系機器ユニット２Ｄは、例えば、ドアセンサや、窓センサ、人感センサ等の防犯センサ（図示せず）を接続する防犯ユニットである。このような直流系機器ユニット２Ｄは、直流給電路３を伝送路として電力変換ユニット４及び他の直流系機器ユニット並びに電源マネージメントユニット６と通信を行う通信部２４Ｄと、電線を介して接続された防犯センサに直流給電路３から直流電源を供給するとともに、防犯センサに直流電源を供給する電線に交流信号を重畳させることで防犯センサと通信を行い、防犯センサより異常検出信号を受信すると、異常検出信号を出力するセンサ制御手段（図示せず）とを備えている。尚、直流系機器ユニット２Ｄから出力される異常検出信号は、直流給電路３を介して端末器Ｔ１〜Ｔ３等に送られる。
【００３９】
この直流系機器ユニット２Ｄのセンサ制御手段には、自身の動作モードを切り換えるモード切換手段（図示せず）が設けられており、このモード切換手段は、機能制限を行うことで（例えば、作動させる防犯センサの数を減らすことで）、消費電力を小さくする低消費モードと、機能制限等を行わない通常モードとを切り換えるように構成されている。
【００４０】
このような直流系機器ユニット２Ｄのモード切換手段は、電源マネージメントユニット６によって切換動作が制御されるように構成されている。
【００４１】
また、通信部２４Ｄは、直流系機器ユニット２Ｄにおける消費電力量や、消費電流、動作モードの状態等の動作状態情報を検出し、検出した動作状態情報として電源マネージメントユニット６に出力可能に構成されている。
【００４２】
直流系機器ユニット２Ｅは、例えば、煙センサや、ガスセンサ、火災センサ等の防災センサＳ１，Ｓ２を接続する防犯ユニットである。このような直流系機器ユニット２Ｅは、直流給電路３を伝送路として電力変換ユニット４及び他の直流系機器ユニット並びに電源マネージメントユニット６と通信を行う通信部２４Ｅと、電線を介して接続された防災センサに直流給電路３から直流電源を供給するとともに、防災センサに直流電源を供給する電線に交流信号を重畳させることで防災センサと通信を行い、防災センサより異常検出信号を受信すると、異常検出信号を出力するセンサ制御手段（図示せず）とを備えている。尚、直流系機器ユニット２Ｅから出力される異常検出信号は、直流給電路３を介して端末器Ｔ１〜Ｔ３等に送られる。
【００４３】
この直流系機器ユニット２Ｅのセンサ制御手段には、自身の動作モードを切り換えるモード切換手段（図示せず）が設けられており、このモード切換手段は、機能制限を行うことで（例えば、作動させる防災センサの数を減らすことで）、消費電力を小さくする低消費モードと、機能制限等を行わない通常モードとを切り換えるように構成されている。
【００４４】
このような直流系機器ユニット２Ｅのモード切換手段は、電源マネージメントユニット６によって切換動作が制御されるように構成されている。
【００４５】
また、通信部２４Ｅは、直流系機器ユニット２Ｅにおける消費電力量や、消費電流、動作モードの状態等の動作状態情報を検出し、検出した動作状態情報として電源マネージメントユニット６に出力可能に構成されている。
【００４６】
直流系機器ユニット２Ｆは、例えば、直流給電路３から供給される直流電源を、直流電源により動作する直流負荷（図示せず）に供給するための端子台である。このような直流系機器ユニット２Ｆは、図示しない直流負荷の一対の電源線（電圧側配線及び接地側配線）が個別に接続される負荷端子部（図示せず）と、負荷端子部を個別に電源端子部２０，２１に接続する回路開閉手段（図示せず）と、直流給電路３を伝送路として電力変換ユニット４及び他の直流系機器ユニット並びに電源マネージメントユニット６と通信を行う通信部２４Ｆとを備えている。
【００４７】
このような回路開閉手段は、電源マネージメントユニット６によって開閉動作が制御されるように構成されており、これにより直流負荷への電源供給を行う通常モードと、直流負荷への電源供給を停止する低消費モードとが切り換えられるようになっている。尚、回路開閉手段は、所定以上の電流が流れた際に、回路を遮断するブレーカとしての機能を持たせたものや、直流給電路３の直流電源の電圧を変圧する機能を持たせたもの等であってもよい。
【００４８】
また、通信部２４Ｆは、直流系機器ユニット２Ｆにおける消費電力量や、消費電流、動作モードの状態等の動作状態情報を検出し、検出した動作状態情報として電源マネージメントユニット６に出力可能に構成されている。
【００４９】
直流系機器ユニット２Ｈは、例えば、ＬＥＤ照明器具等の照明器具Ｆ１〜Ｆ３を接続する照明ユニットである。このような直流系機器ユニット２Ｈは、直流給電路３を伝送路として電力変換ユニット４及び他の直流系機器ユニット並びに電源マネージメントユニット６と通信を行う通信部２４Ｈと、電線を介して接続された照明器具Ｆ１〜Ｆ３に直流電源を供給するとともに、照明器具Ｆ１〜Ｆ３に直流電源を供給する電線に交流信号を重畳させることで照明器具Ｆ１〜Ｆ３と通信し、照明器具Ｆ１〜Ｆ３の制御（調光制御等）を行う照明制御手段（図示せず）とを備えている。
【００５０】
この直流系機器ユニット２Ｈの照明制御手段には、自身の動作モードを切り換えるモード切換手段（図示せず）が設けられており、このモード切換手段は、機能制限を行うことで（例えば、点灯させる照明器具Ｆ１〜Ｆ３の数を減らす間引き運転を行ったり、照明器具Ｆ１〜Ｆ３の明るさを暗く設定したりすることで）、消費電力を小さくする低消費モードと、機能制限等を行わない通常モードとを切り換えるように構成されている。
【００５１】
このような直流系機器ユニット２Ｈのモード切換手段は、電源マネージメントユニット６によって切換動作が制御されるように構成されている。
【００５２】
また、通信部２４Ｈは、直流系機器ユニット２Ｈにおける消費電力量や、消費電流、動作モードの状態等の動作状態情報を検出し、検出した動作状態情報として電源マネージメントユニット６に出力可能に構成されている。
【００５３】
尚、直流系機器ユニットは、上述した直流系機器ユニット２Ａ〜２Ｈに限られるものではなく、ユーザの嗜好に合わせてその機能を適宜変更するようにしてもよい。
【００５４】
電力変換ユニット４は、図２に示すように、交流供給ブロック１０の主幹路１０ｃに接続され、該主幹路１０ｃから供給される商用交流電源を元に、直流電源（例えば二次電池モジュール５０の出力電圧と同じ５０Ｖの直流電源）を生成するＡＣ／ＤＣコンバータ４０を備えている。また、電力変換ユニット４は、電圧側線路４２ａ及び接地側線路４２ｂからなる電源路４２を介してＡＣ／ＤＣコンバータ４０に接続される前述のＤＣ／ＤＣコンバータ４１を備え、ＤＣ／ＤＣコンバータ４１は、電源路４２より供給される直流電源を降圧して、所定の電圧（例えば２０Ｖ）の直流電源を生成し、この直流電源を直流給電路３に供給するように構成されている。
【００５５】
ところで、電源路４２には、バッテリユニット５が次のようにして接続されている。すなわち、バッテリユニット５は、後述のスイッチ回路５１の電圧側の出力端（図示せず）及び接地側の出力端（図示せず）を、電圧側線路４２ａ及び接地側線路４２ｂにそれぞれ電気的に接続することによって、電源路４２に接続されている。
【００５６】
また、電力変換ユニット４は、電圧側線路４２ａにおけるＡＣ／ＤＣコンバータ４０との接続点とバッテリユニット５との接続点との間に流れる電流を計測する電流センサＣＴを有する電流検出回路４３と、電圧側線路４２ａと接地側線路４２ｂとの間の電位差を計測するための抵抗Ｒを有する電圧検出回路４４と、制御部４５とを備えている。
【００５７】
尚、電力変換ユニット４のＡＣ／ＤＣコンバータ４０、ＤＣ／ＤＣコンバータ４１、電流検出回路４３、及び電圧検出回路４４の回路構成は、従来周知のものを採用することができるから、詳細な説明は省略する。
【００５８】
制御部４５は、例えばマイコン等を用いて構成されており、電源路４２の電圧側配線４２ａ及び直流給電路３の電圧側導電バー３０、すなわち直流電源の供給路を伝送路として通信を行うための電力線通信手段（例えば、ＰＬＣ等の交流信号を利用したもの）４５ａを備えている。また、制御部４５Ａは、電力線通信手段４５ａの交流信号を電圧側配線４２ａに重畳させる機能と、電圧側配線４２ａに重畳された交流信号を取り出す機能とを備える結合器（図示せず）を有しており、これにより電圧側配線４２ａとの間で交流信号の送受信が行えるようになっている。
【００５９】
さらに、制御部４５は、ＤＣ／ＤＣコンバータ４１を常時動作させるとともに、電流検出回路４３及び電圧検出回路４４の検出出力に基づいて、バッテリユニット５のスイッチ回路５１のオン／オフを制御するように構成されている。
【００６０】
以下に、制御部４５の制御動作について詳細に説明する。制御部４５は、電圧検出回路４４の検出電圧が、所定の電圧値（例えばＡＣ／ＤＣコンバータ４０が出力する直流電源の電圧値）以上であり、且つ電流検出回路４３により電流が検出される状態であれば、停電等が発生した非常時ではないと判断するように構成されている。そして、非常時ではないと判断した際には、制御部４５は、スイッチ回路５１をオフさせる制御信号をバッテリユニット５に出力するように構成されている。
【００６１】
一方、制御部４５は、電圧検出回路４４の検出電圧が、所定の電圧値（例えばＡＣ／ＤＣコンバータ４０が出力する直流電源の電圧値）未満であり、且つ電流検出回路４３により電流が検出されていない状態であれば、停電等が発生した非常時であると判断するように構成されている。そして、非常時であると判断した際には、制御部４５は、停電検出信号を出力するとともに、バッテリユニット５にスイッチ回路５１をオンさせる制御信号を出力するように構成されている。
【００６２】
また、制御部４５は、電流検出回路４３で検出する電圧側線路４２の電流が所定の制限値（交流供給ブロック１０の主幹ブレーカ１０ｃがトリップ動作するような電流値を元に設定された値）を越えた際には、バッテリユニット５のスイッチ回路５１をオンさせるための制御信号をバッテリユニット５の通信部５３に出力するように構成されている。つまり、制御部４５は、直流給電路３に流れる電流値が前記制限値を越える際には、バッテリユニット５から電力を供給して不足分を補填するように構成されている。
【００６３】
バッテリユニット５は、例えば、住宅の壁面等の造営面に取り付けられる筐体５ａを備え、筐体５ａ内には、１乃至複数の二次電池（蓄電池）からなる二次電池モジュール（蓄電池モジュール）５０と、複数の二次電池モジュール５０を並列接続可能な前述の充放電路（図示せず）と、二次電池モジュール５０の充放電制御用の前述のスイッチ回路５１と、スイッチ回路５１のオン／オフを行う電池制御部５２と、二次電池モジュール５０の電池状態を検出するためのセンサ部５３とを備え、電池制御部５２には、電力線通信手段５２ａが設けられている。
【００６４】
二次電池モジュール５０は、蓄電池（例えばリチウムイオン電池）を用いて、所定の電圧（例えば５０Ｖ）の直流電源Ｖ３が得られるように構成されたものであって、蓄電池が収納されるハウジング（図示せず）と、ハウジングに設けられる電圧極と接地極の２極の接続端子（図示せず）とを有している。尚、リチウムイオン電池は、自己放電が非常に少なく、メモリー効果がない、小型で大容量、軽量等の様々な利点がある。
【００６５】
充放電路は、電圧極用の導電バー（図示せず）と、接地極用の導電バー（図示せず）とで構成され、前記電圧極用の導電バーには、二次電池モジュール５０の電圧極の接続端子にプラグイン方式により接続可能な接続バー（図示せず）が一体に設けられ、接地極用の導電バーには、二次電池モジュール５０の接地極の接続端子にプラグイン方式により接続可能な接続バー（図示せず）が一体に設けられている。
【００６６】
このような充放電路は、上述したように、複数の二次電池モジュール５０を並列的に接続できるように構成されており、充放電路に接続する二次電池モジュール５０の数によって、バッテリユニット５の容量を増減できるようになっている。つまり、バッテリユニット５では、直流給電路３に接続される機器の総消費電力量に応じて、容量を調整できるようになっている。尚、充放電路の導電バー及び接続バーは、例えば、導電性を有する金属板から曲成することによって得ることができる。また尚、二次電池モジュール５０と充放電路との接続方式は、プラグイン方式に限られるものではなく、ねじ止め等であってもよく、要は電気的に接続可能なものであれば足りるが、プラグイン方式としたほうが、接続が容易となるため好ましい。
【００６７】
スイッチ回路５１は、例えば、ＭＯＳＦＥＴ等の半導体スイッチング素子を用いて構成されたものであり、電池制御部５２により動作（オンオフ）が制御される。さらに詳しく説明すると、スイッチ回路５１は、電圧側の入力端と出力端との間にのみ、電池制御部５２によりオンオフ制御される半導体スイッチング素子（図示せず）が設けられ、接地側の入力端と出力端との間は、常に導通した状態となるように構成されている。そして、このスイッチ回路５１の電圧側の入力端には、充放電路の電圧極用の導電バーが、接地側の入力端には、充放電路の接地極用の導電バーがそれぞれ接続されている。
【００６８】
また、スイッチ回路５１は、電池制御部５２の電力線通信手段５２ａの交流信号を後述する電源路４２の電圧側配線４２ａに重畳させる機能を備える結合器（図示せず）を備えている。
【００６９】
加えて、スイッチ回路５１の電圧側の出力端は、逆流防止用のダイオードＤを介してバッテリユニット５の接続部材の電圧極の導電バー（図示せず）に接続されており、これにより電圧側線路４２ａ、電圧極側の導電バー、２次電池モジュール５０、接地極側の導電バー、スイッチ回路５１、接地側線路４２ｂの経路で、２次電池モジュール５０を充電できるようになっている。尚、逆流防止用のダイオードＤは、バッテリユニット５の筐体５ａ内に設けられている。
【００７０】
センサ部５３は、例えば、二次電池モジュール５０の出力電圧を計測する電圧検出手段、及び二次電池モジュール５０の出力電流を計測する電流検出手段を有しており、これら検出手段から得た情報は、電池制御部５２に伝送される。
【００７１】
電池制御部５２は、電源路４２の電圧側配線４２ａ及び直流給電路３の電圧側導電バー３０、すなわち直流電源の供給路を伝送路として通信を行う電力線通信手段（例えば、ＰＬＣ等の交流信号を利用したもの）５２ａを備え、電力線通信手段５２ａを用いて電力変換ユニット４の後述する制御部４５と通信し、制御部４５が伝送する交流信号の内容に応じてスイッチ回路５１のオン／オフを制御するように構成されている。
【００７２】
また、電池制御部５２は、センサ部５４より得た情報に基づいて二次電池モジュール５０の電池状態情報を生成し、電圧側配線４２ａ及び電圧側導電バー３０を介して電力変換ユニット４の制御部４５及び直流系機器ユニット２Ａ〜２Ｈ並びに電源マネージメントユニット６に出力するように構成されている。
【００７３】
ここで、電池状態情報は、少なくとも二次電池モジュール５０の残量（すなわち二次電池の残量）を示す情報を有している。尚、二次電池モジュール５０の残量は、例えば、センサ部５３の電圧検出手段及び電流検出手段を、充電時のデータと比較することや、二次電池モジュール５０が満充電状態から二次電池モジュール５０が放電により消費した電力量を得ること等によって算出することができ、このような蓄電池の残量の算出方法は、従来周知のものであるから、詳細な説明は省略する。
【００７４】
また、電池状態情報は、センサ部５３で得られる二次電池モジュール５０の出力電流値と二次電池モジュール５０の残量を元に算出されるバッテリユニット５の残り使用可能時間を有している。尚、バッテリユニット５の残り使用可能時間は、表示ユニット７Ａ，７Ｂの後述する使用状態表示手段７４ａにおいて算出するようにしてもよく、また、このような残り使用可能時間は、二次電池モジュール５０の残量と、各直流系機器ユニット２Ａ〜２Ｈの動作状態情報（例えば、消費電力量）とを元に算出するようにしてもよい。
【００７５】
さらに、電池状態情報は、二次電池モジュール５０が充電中であるか放電中であるかを示すような情報であってもよい。
【００７６】
電源マネージメントユニット６は、図１に示すように、直流給電路３に接続されて直流給電路３から直流電源を供給されるものであって、上述した電源端子部２０，２１と同様の電源端子部（図示せず）を備えている。また、電源マネージメントユニット６は、図４に示すように、電力線通信部６０と、制御部６１と、ＲＡＭやＨＤＤ等の記憶装置からなるメモリ部６２と、ＤＣ／ＤＣコンバータ６３と、フィルタ部６４とを備えている。
【００７７】
電力線通信部６０は、直流給電路３等の直流電源の供給路を伝送路としてバッテリユニット５及び電力変換ユニット４並びに直流系機器ユニット２Ａ〜２Ｈと通信を行うための
ためのものであり、例えばＰＬＣ等の交流信号を利用したものが用いられる。
【００７８】
この電力線通信部６０には、情報収集手段６０ａが設けられている。情報収集手段６０ａは、直流給電路３等の直流電源の供給路を伝送路としてバッテリユニット５及び直流系機器ユニット２Ａ〜２Ｈと通信を行い、バッテリユニット５の電池状態情報、及び各直流系機器ユニット２Ａ〜２Ｈの動作状態情報（消費電力量）を収集するように構成されている。また、情報収集手段６０ａは、取得した電池状態情報及び動作状態情報を、表示ユニット７Ａ，７Ｂに送信するように構成されている。また、情報収集手段６０ａは、電力変換ユニット４から出力される停電検出信号を受け取った際に、電池状態情報及び動作状態情報に加えて、停電検出信号を表示ユニット７Ａ，７Ｂに送信するように構成されている。
【００７９】
制御部６１は、直流給電路３に接続されている直流系機器ユニット２Ａ〜２Ｈの動作制御を行うためのものであって、自動制御手段６１ａと、手動制御手段６１ｂとを備えている。自動制御手段６１ａは、予め設定された制御内容、すなわちメモリ部６２に予め記憶された制御プログラム（制御内容）に基づいて直流系機器ユニット２Ａ〜２Ｈの動作を制御するように構成されている。
【００８０】
ここで、メモリ部６２には、上述したように制御部６１の自動制御手段６１ａで用いる直流系機器ユニット２Ａ〜２Ｈの制御プログラムが記憶されており、例えば、本実施形態では、制御部４５の停電検出信号を受信した際に、電池状態情報と、電池状態情報に関連して各直流系機器ユニット２Ａ〜２Ｈに対応して設定された優先順位とに基づいて各直流系機器ユニットの動作を制御するように自動制御部６１ａを動作させる制御プログラムが記憶されている。
【００８１】
さらに詳しく説明すると、この制御プログラムでは、電池状態情報である二次電池モジュール５０の残量を元に電池レベルを判定するようになっており、例えば、残量が０〜４０％以下のときは電池レベルが１、４０％超〜５０％以下のときは電池レベルが２、５０％超〜６０％以下のときは電池レベルが３、６０％超〜７０％以下のときは電池レベルが４、７０％超〜８０％以下のときは電池レベルが５、８０％超〜１００％のときは電池レベルが６であると判定される。
【００８２】
また、上記制御プログラムでは、優先順位は、停電時に必要な直流系機器ユニットの順番に基づいて各直流系機器ユニット２Ａ〜２Ｈに対応して設定されるようになっており、例えば、通信、明かり、防災、防犯、利便性（その他）の順に優先順位が低くなるようになっている。具体的には、通信ユニットである直流系機器ユニット２Ａ〜２Ｃ，２Ｇに対応する優先順位が１に設定され、次いで照明ユニットである直流系機器ユニット２Ｈに対応する優先順位が２、防災ユニットである直流系機器ユニット２Ｅに対応する優先順位が３、防犯ユニットである直流系機器ユニット２Ｄに対応する優先順位が４、端子台である直流系機器ユニット２Ｆに対応する優先順位が５に設定されている。
【００８３】
そして、上記の制御プログラムでは、優先順位の値（１〜５）が、電池レベルの値（１〜６）値以上か否かによって、電源マネージメントユニット６による直流系機器ユニットの動作モードが決定されるようになっている。すなわち、優先順位の値が電池レベルの値以上の直流系機器ユニットは、消費電力を低減した低消費モードとなるように制御され、優先順位の値が電池レベルの値未満の直流系機器ユニットは、消費電力の低減等を行わない通常モードとなるように制御されるように設定されている。
【００８４】
一方、手動制御手段６１ｂは、ユーザが直接的に各直流系機器ユニット２Ａ〜２Ｈの動作を制御するためのものであって、表示ユニット７Ａ，７Ｂの後述する入力手段７３の入力内容に応じて各直流系機器ユニット２Ａ〜２Ｈに制御信号を出力して、各直流系機器ユニット２Ａ〜２Ｈの動作制御を行うように構成されている。ここで、手動制御手段６１ｂによる直流系機器ユニットの動作制御は、自動制御手段６１ａによる直流系機器ユニットの動作制御より優先して行われるようになっている。
【００８５】
また、制御部６１は、変更手段６１ｃを備えている。この変更手段６１ｃは、メモリ部６２に記憶されている制御プログラムの内容を表示ユニット７Ａ，７Ｂに伝送する機能と、メモリ部６２の制御プログラムを、表示ユニット７Ａ，７Ｂの入力手段７３で入力された内容に応じて変更する機能とを備えている。例えば、変更手段６１ｃは、各直流系機器ユニット２Ａ〜２Ｈの優先順位に関する情報を表示ユニット７Ａ，７Ｂに伝送し、入力手段７３で入力された内容に応じて、各直流系機器ユニット２Ａ〜２Ｈの優先順位を変更するように構成される。尚、変更手段６１ｃによって制御プログラムを全て変更可能としてもよいし、部分的に変更可能としてもよい。
【００８６】
表示ユニット７Ａは、バッテリユニット５の電池状態情報、及び各直流系機器ユニット２Ａ〜２Ｈの動作状態情報を元にしてバッテリユニット５の電力の使用状態を表示するために設けられた専用ビュアであり、図５（ａ）に示すように、外部機器との通信部７０と、表示ユニット７Ａの動作電源を供給するバッテリ７１と、液晶ディスプレイ等の画像表示装置である表示部７２と、入力キーや、キーボード等のユーザインターフェースからなる入力部７３と、演算処理部７４とを備えている。この表示ユニット７Ａは、直流系機器ユニット２Ｂのケーブル接続部に接続されている。
【００８７】
通信部７０は、例えば、ＬＡＮ等を用いて外部機器と通信可能に構成されており、ＬＡＮケーブル接続用モジュラジャック（図示せず）や、同軸ケーブル接続用コネクタ（図示せず）、光ファイバケーブル接続用コネクタ（図示せず）等の各種通信ケーブルを接続するケーブル接続部や、無線ＬＡＮ用の赤外線ポート（図示せず）等を有している。
【００８８】
演算処理部７４は、例えばＣＰＵ等であって、前述の使用状態表示手段７４ａと、制御内容表示手段７４ｂとを備え、これらはソフトウェア等により実現されている。また、演算処理手段７４は、バッテリユニット５の電池状態情報である残量と、各直流系機器ユニット２Ａ〜２Ｈの動作状態情報である消費電力量とを元にして、バッテリユニット５の残り使用可能時間を算出する算出手段７４ｃを備えている。
【００８９】
使用状態表示手段７４ａは、電源マネージメントユニット６の情報収集手段６０ａから送信された電池状態情報と、各直流系機器ユニットの動作状態情報と、場合によっては停電検出信号を元にして、バッテリユニット５の電力の使用状態を表示部７２に表示させるように構成されている。例えば、状態表示手段７４ａは、表示部７２に、図５（ｂ）に示すように、停電時等の非常時であることを示す「停電時」や、商用交流電源によりバッテリユニット５が充電中であることを示す「充電中」等の現在の状態を示すメッセージＭ１と、停電時である場合に表示される「バックアップ推定時間」等のメッセージＭ２と、バッテリユニット５の残り使用時間を表示するメッセージＭ３と、「消費電力」等の直流系機器ユニットの動作状態情報の種類を表示するメッセージＭ４とを表示するように構成されている。
【００９０】
また、状態表示手段７４ａは、それぞれ直流系機器ユニットの種別を示す名称、例えば「ＬＥＤ照明」、「通信」、「防犯」、「防災」等をそれぞれ表示するフレームＮ１〜Ｎ４を表示部７２に表示するように構成されており、ここで、各フレームＮ１〜Ｎ４は、対応する直流系機器ユニットの消費電力に比例して領域の大きさ（主に長さ）が決定されるようにしている。例えば、図５（ｂ）に示す例では、領域の大きさが、フレームＮ１＞フレームＮ２＞フレームＮ３＝フレームＮ４となっており、これが消費電力の大小関係を示している。
【００９１】
したがって、以上述べた状態表示手段７４ａによれば、表示部７２に、電池状態情報としてバッテリユニット５の残り使用推定時間が表示されるとともに、直流系機器ユニットの動作状態情報として消費電力量とが表示されることになる。尚、表示部７２には、電池状態情報として、バッテリユニット５の残量や、出力電流、出力電圧等を表示するようにしてもよいし、動作状態情報として、直流系機器ユニットの消費電流や、動作モード情報、オンオフ情報等を表示するようにしてもよい。
【００９２】
また、状態表示手段７４ａにより表示部７２に電池状態情報及び動作状態情報が表示されている状態では、ユーザが入力部７３を用いて操作入力を行うことによって、各直流系機器ユニット２Ａ〜２Ｈの動作制御を行えるようになっている。ここで、入力部７３において入力された内容は、通信部７０と、直流系機器ユニット２Ｂと、直流給電路３とを経由して電源マネージメントユニット６の手動制御手段６１ｂに伝送され、これにより手動制御手段６１ｂによる各直流系機器ユニット２Ａ〜２Ｈの動作制御が行われる。
【００９３】
制御内容表示手段７４ｂは、電源マネージメントユニット６から伝送されたメモリ部６２の制御プログラムの内容を表示部７２に表示する通常表示モードと、メモリ部６２の制御プログラムの内容を変更するための表示を表示部７２に行わせる変更表示モードとを備えている。ここで、制御内容表示手段７４ｂが変更表示モードで動作している場合、入力部７３の操作入力によって、制御プログラムの内容を変更することができるようになっており、例えば、本実施形態の場合、直流系機器ユニットの優先順位を入力部７３の操作入力によって変更できるようになっている。ここで、入力部７３において入力された内容は、通信部７０と、直流系機器ユニット２Ｂと、直流給電路３とを経由して電源マネージメントユニット６の変更手段６１ｃに伝送され、これにより変更手段６１ｃによるメモリ部６２の制御プログラムの変更が行われる。
【００９４】
表示ユニット７Ｂは、外部機器との通信手段、バッテリ、キーボード等のユーザインターフェースからなる入力部７３、並びに液晶ディスプレイ等の画像表示装置からなる表示部７２を備える情報処理用の端末器（例えばノートパソコン）の表示部７２を、電池状態情報及び動作状態情報を表示するための表示手段として利用するとともに、専用のソフトウェアをインストールすることによって構成されている。尚、表示ユニット７Ｂの動作は、表示ユニット７Ａと同様であるから説明を省略する。また尚、表示ユニット７Ｂは、直流系機器ユニット２Ａのケーブル接続部に接続されている。
【００９５】
このように、情報処理用の端末器の画像表示装置を表示手段として利用すれば、専用のビュア等を用いる場合に比べて、バッテリユニット５の電池状態情報と、各直流系機器ユニット２Ａ〜２Ｈの動作状態情報との表示を容易に行うことが可能になる。また、これら表示ユニット７Ａ，７Ｂは、自身が保有するバッテリ７１によって動作可能であるから、商用交流電源の供給が停止した停電時等でも問題なく使用でき、バッテリユニット５の電池状態情報等を表示するのに最適である。
【００９６】
以上により本実施形態の配電システムは構成されており、次にその動作について説明する。尚、初期状態では、バッテリユニット５の二次電池モジュール５０が充電されておらず、主幹路１０ｃから電力変換ユニット４に商用交流電源が供給されているとする。また尚、スイッチ回路５１はオフであるとする。さらに、各直流系機器ユニット２Ａ〜２Ｈは動作モードが通常モードであるとする。
【００９７】
上記初期状態では、電圧検出回路４４の検出電圧が、所定の電圧値以上であり、且つ電流検出回路４３により電流が検出されるため、制御部４５Ａでは、停電等が発生していないと判断される。このとき、制御部４５によってＤＣ／ＤＣコンバータ４１が制御されて、ＤＣ／ＤＣコンバータ４１で直流電源の生成が行われ、ＤＣ／ＤＣコンバータ４１で生成された直流電源が直流給電路３に供給される。
【００９８】
そして、直流給電路３に供給された直流電源は、各直流系機器ユニット２Ａ〜２Ｈ及び電源マネージメントユニット６に供給されて各直流系機器ユニット２Ａ〜２Ｈ及び電源マネージメントユニット６が動作し、これにより端末器Ｔ１〜Ｔ３や、防犯センサＳ１，Ｓ２、照明器具Ｆ１〜Ｆ３、電源マネージメントユニット６等の動作が開始される。
【００９９】
また、ＡＣ／ＤＣコンバータ４１から電源路４２に直流電源が供給されている場合、電源路４２の電圧側線路４２ａから逆流防止用のダイオードＤを介して二次電池モジュール５０に直流電源が供給されて、二次電池モジュール５０が充電される。
【０１００】
ここで、二次電池モジュール５０が充電途中である場合には、電源マネージメントユニット６に、例えば残量が１０％以下である等の電池状態情報が伝送されることになるが、自動制御部６１ａは、停電検出信号を受信したときにのみ直流系機器ユニット２Ａ〜２Ｈの制御を行うため、二次電池モジュール５０の充電時には、直流系機器ユニット２Ａ〜２Ｈが自動制御部６１により制御されてしまうことがない。
【０１０１】
また、電源マネージメントユニット６の情報収集手段６０ａは、バッテリユニット５から電池状態情報、各直流系機器ユニット２Ａ〜２Ｈから動作状態情報を取得して、表示ユニット７Ａ，７Ｂに送信し、情報収集手段６０ａから電池状態情報及び動作状態情報を受け取った表示ユニット７Ａ，７Ｂで、表示部７２に、電池状態情報及び動作状態情報を表示させる。例えば、電池状態情報としては、二次電池モジュール５０の残量や、充電中であるという情報が表示され、動作状態情報としては、各直流系機器ユニットの動作モードの情報や、消費電力量が表示される。
【０１０２】
ところで、停電が発生したり、過電流によって主幹ブレーカ１０ｂがトリップ動作したりして、主幹路１０ｃから電力変換ユニット４への商用交流電源の供給が停止された際には、電圧検出回路４４の検出電圧が所定の電圧値未満になるとともに、電流検出回路４３により電流が検出されなくなる。これにより、制御部４５は、停電等が発生した非常時であると判断して、電源路４２に停電検出信号を出力する。
【０１０３】
これに並行して、制御部４５は、バッテリユニット５にスイッチ回路５１をオンさせる制御信号を出力し、これにより二次電池モジュール５０が電源路４２に接続されて（充放電路の電圧極用の導電バーが電源路４２の電圧側線路４２ａに接続されて）、二次電池モジュール５０から電源路４２に直流電源の供給が行われる。そして、ＤＣ／ＤＣコンバータ４１では、電源路４２に供給されたバッテリユニット５の直流電源を元にして、直流給電路３に供給する直流電源の生成が行われ、これによりＤＣ／ＤＣコンバータ４１から直流給電路３には、直流電源の供給が継続して行われることになる。
【０１０４】
したがって、商用交流電源の供給が得られなくなった場合でも、直流給電路３に直流電源を供給することができ、これにより直流系機器ユニット２Ａ〜２Ｈ及び電源マネージメントユニット６への電力供給も継続して行われる。
【０１０５】
そして、電源マネージメントユニット６の情報収集手段６０ａは、バッテリユニット５から電池状態情報、各直流系機器ユニット２Ａ〜２Ｈから動作状態情報を取得して、表示ユニット７Ａ，７Ｂに送信する。このとき、停電検出信号が出力されているから、この停電検出信号も表示ユニット７Ａ，７Ｂに送信される。情報収集手段６０ａから電池状態情報及び動作状態情報並びに停電検出信号を受け取った表示ユニット７Ａ，７Ｂで、表示部７２に、図５（ｂ）に示すように、電池状態情報及び動作状態情報を表示させる。
【０１０６】
一方、電源マネージメントユニット６では、電池状態情報を受信した自動制御部６１ａにより電池レベルが判定されるが、残量が８０％以上であれば、電池レベルが６であると判定されて、優先順位の値が１〜５で設定されている直流系機器ユニット２Ａ〜２Ｈの動作制御は行われない。
【０１０７】
このような非常状態が継続されれば、バッテリユニット５の二次電池モジュール５０の残量は減り続けていく。そして、二次電池モジュール５０の残量が８０％以下となった際には、このような電池状態情報を受信した自動制御部６１ｂによって電池レベルが５であると判定されて、優先順位が５である直流系機器ユニット２Ｆの動作制御が行われる。すなわち、直流系機器ユニット２Ｆでは、回路開閉手段を開くような制御が行われて直流負荷への電力供給が停止され、これによりバッテリユニット５の放電消費電力量の低減が図られる。
【０１０８】
この状態が継続され、二次電池モジュール５０の残量が７０％以下となった際には、このような電池状態情報を受信した自動制御部６１ａによって電池レベルが４であると判定されて、優先順位が４である直流系機器ユニット２Ｄが通常モードから低消費モードに切り換えられ、これによりバッテリユニット５の放電消費電力量のさらなる低減が図られる。
【０１０９】
この後に二次電池モジュール５０の残量が６０％以下となった際には、このような電池状態情報を受信した自動制御部６１ａによって電池レベルが３であると判定されて、優先順位が３である直流系機器ユニットＥが通常モードから低消費モードに切り換えられる。さらに二次電池モジュール５０の残量が５０％以下となった際には、このような電池状態情報を受信した自動制御部６１ａによって電池レベルが２であると判定されて、優先順位が２である直流系機器ユニット２Ｈが通常モードから低消費モードに切り換えられる。最後に二次電池モジュール５０の残量が４０％以下となった際には、このような電池状態情報を受信した制御部８０によって電池レベルが１であると判定されて、優先順位が１である直流系機器ユニット２Ｃ，２Ｇが通常モードから低消費モードに切り換えられることになる。尚、電源マネージメントユニット６と表示ユニット７Ａ，７Ｂとの通信は行えるようにする必要があるため、直流系機器ユニット２Ａ，２Ｂは通常モードが維持される。
【０１１０】
このように、本実施形態の配電システムでは、二次電池モジュール５０の残量の減少に伴って、メモリ部６２に記憶されている制御プログラムの優先順位順に、直流系機器ユニットにおける消費電力量を低減する動作制御が行われ、これにより段階的に二次電池モジュール５０の放電消費電力量の低減が図られるようになっている。
【０１１１】
つまり、本実施形態の配電システムでは、重要度が低い直流系機器ユニットから順に直流系機器ユニットにおける消費電力量を低減させることで、二次電池モジュール５０を長持ちさせるようにしている。
【０１１２】
また、本実施形態の配電システムでは、電源マネージメントユニット６の手動制御手段６１ｂによって各直流系機器ユニット２Ａ〜２Ｈを制御できるようになっている。そのため、例えば、表示ユニット７Ａの表示部７２を見て、消費電力が大きい直流系機器ユニットの動作を、自動制御手段６１ａにより制御される前に、通常モードから低消費モードに切り換えることができるようになっている。
【０１１３】
ところで、停電等が復旧して電力変換ユニット４Ａに商用交流電源が供給された際には、ＡＣ／ＤＣコンバータ４０から電源路４２に、直流電源が供給され、ＤＣ／ＤＣコンバータ４１では、ＡＣ／ＤＣコンバータ４０からの直流電源を元にして、直流給電路３に供給する直流電源が生成される。また、ＡＣ／ＤＣコンバータ４０から電源路４２に供給される直流電源によって、バッテリユニット５が充電される。
【０１１４】
また、商用交流電源の供給が再開された際には、電圧検出回路４４の検出電圧が、所定の電圧値以上であり、且つ電流検出回路４３により電流が検出されるため、制御部４５は、停電等が発生していない常時であると判断して、スイッチ回路５１をオフさせるための制御信号をバッテリユニット５に出力し、これによりバッテリユニット５から電源路４２への直流電源の供給が停止される。
【０１１５】
そして、バッテリユニット５が充電されて、二次電池モジュール５０の残量が４０％を越えた際には、電池状態情報を受信した自動制御部６１ａによって電池レベルが２になったと判定され、優先順位が１である直流系機器ユニット２Ｃ，２Ｇが通常モードに切り換えられる。この後に、二次電池モジュール５０の残量が５０％を越えた際には、電池状態情報を受信した自動制御部６１ａによって電池レベルが３になったと判定され、以後、電池レベルの上昇にともなって、優先順位順に直流系機器ユニットが通常モードに切り換えられ、やがて、上記の初期状態に復帰することになる。
【０１１６】
以上述べた本実施形態の配電システムによれば、バッテリユニット５の二次電池モジュール５０の電池状態情報と、各直流系機器ユニット２Ａ〜２Ｈの動作状態情報とを情報収集手段６０ａにより収集して、表示ユニット７Ａの表示部７２に表示するから、表示部７２ａを見るだけでバッテリユニット５の電池状態及び直流系機器ユニット２Ａ〜２Ｈの動作状態を確認でき、これにより電力の使用状態を直ちに把握することができるという効果を奏する。しかも、電池状態情報として、バッテリユニット５の残り使用可能時間を表示するから、表示部７２を見るだけでバッテリユニット５の残り使用可能時間を確認でき、これによりユーザにバッテリユニット５の電池状態を分かりやすく報せることができるという効果を奏する。
【０１１７】
また、配電システムは、直流系機器ユニット２Ａ〜２Ｈに電力を供給する直流給電路３と、商用交流電源を元に直流電源を生成して直流給電路３に供給する電力変換ユニット４とを盤体内に収納してなる電源盤１を備えているから、商用交流電源が供給される常時には、電力変換ユニット４が直流給電路３に供給する直流電源によって直流系機器ユニット２Ａ〜２Ｆを動作させることができ、商用交流電源の供給が停止される停電時等の非常時には、バッテリユニット５からの電力供給により直流系機器ユニット２Ａ〜２Ｈを動作させることができるようになるという効果を奏する。
【０１１８】
さらに、複数の直流系機器ユニット２Ａ〜２Ｈとそれぞれ通信するとともに、電池状態情報に基づいて複数の直流系機器ユニット２Ａ〜２Ｈの動作を、予め設定された制御内容に従って制御するように構成された自動制御手段６１ａを有する電源マネージメントユニット６を備えているから、バッテリユニット５の二次電池モジュール５０の電池状態に応じて直流系機器ユニット２Ａ〜２Ｈの動作制御を行うことができるという効果を奏する。
【０１１９】
しかも、自動制御手段６１ａによる直流系機器ユニットの制御内容は、ユーザの操作入力によって変更することができるので、ユーザの嗜好性を自動制御手段６１ａの制御内容に反映させることができ、これによりユーザの好みに合致した直流系機器ユニット２Ａ〜２Ｈの動作制御を行えるようになるという効果を奏する。
【０１２０】
ところで、電源マネージメントユニット６のメモリ部６２に記憶されている上記の制御プログラムは、制御部４５の停電検出信号を受信した際に、電池状態情報と、電池状態情報に関連して各直流系機器ユニット２Ａ〜２Ｈに対応して設定された優先順位とに基づいて各直流系機器ユニットの動作を制御するように自動制御部６１ａを動作させるものであるが、メモリ部６２に記憶させる制御プログラムは、上記のものに限られるものではない。
【０１２１】
例えば、メモリ部６２に記憶させる制御プログラムとしては、制御部４５の停電検出信号を受信した際に、電池状態情報と、各直流系機器ユニット２Ａ〜２Ｈの消費電力量とに基づいて直流系機器ユニット２Ａ〜２Ｈの動作を制御するように自動制御部６１ａを動作させるものであってもよい。さらに詳しく説明すると、バッテリユニット５の残量が多いときは、全ての直流系機器ユニット２Ａ〜２Ｈを通常モードとし、残量が少なくなるにつれて、通常モードと低消費モードとの間の消費電力量の差が大きい直流系機器ユニットから動作モードを低消費モードに切り換えるように構成されている。
【０１２２】
このようにすれば、消費電力量が多い直流系機器ユニットから、順次、低消費モードに切り換えられるので、バッテリユニット５による動作時間を効率良く長くすることが可能となる。
【０１２３】
また、メモリ部６２に記憶される制御プログラムとしては、上記の優先順位と、消費電力量とを組み合わせたものとしてもよく、このようにすれば、優先順位を第１の基準として直流系機器ユニットの動作制御を行えるとともに、同じ優先順位を持つ直流系機器ユニット同士では、低消費モードに切り換えることで、消費電力量をより低減できる直流系機器ユニットから低消費モードに切り換えるといった動作制御が可能となり、これにより、必要な直流系機器ユニットの動作時間を長くできるとともに、バッテリユニット５の電力を効率良く使用できるという効果を奏する。
【０１２４】
一方、電源マネージメントユニット６のメモリ部６２は、交換可能な構成としてもよい。すなわち、メモリ部６２としてＳＤカード等の携帯可能なメモリを用い、電源マネージメントユニット６にメモリ部６２用のスロットを設けるようにしてもよく、このようにすれば、メモリ部６２を、異なる制御プログラムが記憶されたメモリ部に交換することによって、電源マネージメントユニット６の制御プログラムの内容を非常に容易に変更することができるようになる。
【０１２５】
また、電源マネージメントユニット６は、ユーザにより直流系機器ユニットの動作制御を行うための手動制御手段６１ｂを備えているから、表示部７２に表示されるバッテリユニット５の電池状態情報や、各直流系機器ユニット２Ａ〜２Ｈの動作状態情報を参照して、必要のない直流系機器ユニットの動作を停止したり、必要な直流系機器ユニットの動作を開始したりすることで、バッテリユニット５の電力を効率的に使用することが可能となるという効果を奏する。
【０１２６】
ところで、本実施形態では、直流系機器ユニットの動作モードを、通常モードと低消費モードとの間で切り換えるようにしているが、低消費モードとしては、完全に動作を停止させる停止モードと、最低限の動作を行わせる省エネルギーモードとのいずれか一方、又はその両方であってもよい。要は、低消費モードは、直流系機器ユニットでの消費電力量が低くなるようなモードであればよい。
【０１２７】
本実施形態の配電システムでは、電源マネージメントユニット６は、直流給電路３から直流電源を受電可能に、直流給電路３に接続された状態で盤体内に収納されており、これにより電源マネージメントユニット６を、電源マネージメントユニット６により制御される直流系機器ユニット２Ａ〜２Ｈに近接して配置することができるとともに、直流給電路３を伝送路として各直流系機器ユニット２Ａ〜２Ｈと通信を行わせることが可能となるから、通信用の配線の省配線化を図ることができるという効果を奏する。
【０１２８】
尚、本実施形態では、電源マネージメントユニット６に、情報収集手段６０ａを設けているが、このような情報収集手段６０ａは、電源マネージメントユニット６とは別体にして、直流系機器ユニットと同様に、直流電源を受電可能に直流給電路３に接続することで、盤体内に収納するようにしてもよいし、表示ユニット７Ａ，７Ｂに設けるようにしてもよい。また尚、バッテリユニット５と、電力変換ユニット４と、各直流系機器ユニット２Ａ〜２Ｈと、電源マネージメントユニット６とは、直流給電路３等を伝送路として通信する構成に限られるものではなく、専用の通信線等を用いて通信する構成としてもよい。
【０１２９】
ところで、本実施形態の配電システムでは、住宅用分電盤を利用することで、図１に示すように、交流供給ブロック１０と、直流供給ブロック１１とを一の盤体内に収納するようにしているが、交流供給ブロックと直流供給ブロックとを別々の盤体内に設けるようにしてもよい。
【０１３０】
すなわち、電源盤１の代わりに、図６に示すように、リミッタ１０ａと、主幹ブレーカ１０ｂと、主幹路１０ｃと、分岐路１０ｄと、分岐ブレーカ１０ｅとが盤体（図示せず）内に収納されてなる住宅用分電盤１２の分岐ブレーカ１０ｅに接続される電力変換ユニット４と、直流系機器ユニット２Ａ〜２Ｈと、直流給電路３とを盤体（図示せず）内に収納してなる電源盤１３を用いてもよい。
【０１３１】
このようにすれば、住宅に既設の住宅用分電盤１２を用いて、配電システムを後付けで設置することが可能となるという効果が得られる。
【０１３２】
また、電源盤１の代わりに、図７に示すように、住宅用分電盤１２の分岐ブレーカ１０ｅに接続される電力変換ユニット４と、直流系機器ユニット２Ａ〜２Ｈと、直流給電路３と、バッテリユニット５とを盤体（図示せず）内に収納してなる電源盤１４を用いたものであってもよい。
【０１３３】
つまり、バッテリユニット５を電源盤１４の盤体内に収納するようにしてもよく、このようにすれば、住宅に既設の住宅用分電盤１２を用いて、配電システムを後付けで設置することが可能となるという効果が得られるだけでなく、バッテリユニット５と電源盤１４との間の配線の引き回し等が不要になり、取り付け作業が簡単になるという効果が得られる。
【図面の簡単な説明】
【０１３４】
【図１】本発明の配電システムの概略説明図である。
【図２】本発明の配電システムの要部の概略説明図である。
【図３】直流給電路と直流系機器ユニットとの接続構造を示す説明図である。
【図４】電源マネージメントユニットの概略説明図である。
【図５】（ａ）は、表示ユニットの概略説明図であり、（ｂ）は、表示ユニットにより表示される画面の説明図である。
【図６】配電システムの他例の概略説明図である。
【図７】配電システムのさらに他例の概略説明図である。
【符号の説明】
【０１３５】
１    電源盤
２Ａ〜２Ｈ  直流系機器ユニット
３    直流給電路
４    電力変換ユニット
５    バッテリユニット
５０  二次電池モジュール
６    電源マネージメントユニット
７Ａ，７Ｂ  表示ユニット
【図１】
2008048471.tif 000003
【図２】
2008048471.tif 000004
【図３】
2008048471.tif 000005
【図４】
2008048471.tif 000006
【図５】
2008048471.tif 000007
【図６】
2008048471.tif 000008
【図７】
2008048471.tif 000009